(57)【要約】      （修正有）【課題】内装を解体する際にあらかじめ簡単に分別して搬送するための台車として、細かいスクラップを収納するスペースを備えると共に長尺のスクラップも載せることができる内装解体スクラップ回収搬送台車を提供する。【解決手段】短形の底板０１０１と、他の側板より相対的に高さが高い対向する一対のこぼれ落防止側板０１０３と、こぼれ落防止側板より相対的に高さが低い対向する一対の長尺物支持側板０１０２と、底板に備えられた３６０度回転可能なキャスター０１０５と、からなる。底板はスライダーガイドを有し、キャスターは、底板のスライダーガイド上に固定される。こぼれ防止側板には長尺物支持側板の高さに相当する位置に目印ガイド梁０１０４が渡されている。【選択図】図１（ａ）
0003152214.tif 000002
【実用新案登録請求の範囲】
【請求項１】
矩形の底板と、
他の側板より相対的に高さが高い対向する一対のこぼれ落防止側板と、
こぼれ落防止側板より相対的に高さが低い対向する一対の長尺物支持側板と、
底板に備えられた３６０度回転可能なキャスターと、
からなる内装解体スクラップ回収搬送台車。
【請求項２】
底板はスライダーガイドを有し、
キャスターは、底板のスライダーガイド上に固定される請求項１に記載の内装解体スクラップ回収搬送台車。
【請求項３】
こぼれ防止側板には長尺物支持側板の高さに相当する位置に目印ガイド梁が渡されている請求項１または２に記載の内装解体スクラップ回収搬送台車。
【考案の詳細な説明】
【技術分野】
【０００１】
本考案は、内装解体工事において発生するスクラップを回収し搬送するための台車に関する。
【背景技術】
【０００２】
内装解体とは飲食店（路面店）や、百貨店などの商用施設などにおいて、頻繁にされている内装のリニューアルを行うにあたって、施工されている内装の解体を行うことである。この内装を解体する業者である内装解体業者は、商用施設などのリニューアルを行う工程のうち、施設の内装を解体し、解体において発生する廃棄物を中間処理業者等に引き渡す役割を果たしている。
【０００３】
ところで、この内装の解体において発生する廃棄物は、通常であればそのまま産業廃棄物として中間処理場へ搬送され処分される。しかしながら、内装解体によって発生する産業廃棄物は、一般的に仕分けを行うことで再利用可能なスクラップとして取り扱うことができる場合が多い。
【０００４】
このことは内装解体業における業界の一部において認識されており、産業廃棄物を中間処理業者に引き渡す前に、一度集積したうえで再利用可能なスクラップを分別し、スクラップは売却を行い、スクラップ以外の残った産業廃棄物を中間処理業者に引き渡すということが一部では行われている。
【先行技術文献】
【特許文献】
【０００５】
【特許文献１】実願平０５−０２６７８９号
【考案の概要】
【考案が解決しようとする課題】
【０００６】
しかしながら、発生する産業廃棄物は多種多様であり、分別されずに集積された産業廃棄物からスクラップを分別するには非常に手間がかかり、費用対効果が薄いという課題がある。
【課題を解決するための手段】
【０００７】
そこで本考案は、内装を解体する際にあらかじめ簡単に分別して搬送するための台車として、細かいスクラップを収納するスペースを備えると共に長尺のスクラップも載せることができる内装解体スクラップ回収搬送台車を提供する。具体的には以下のような考案である。
【０００８】
第１の考案は、矩形の底板と、他の側板より相対的に高さが高い対向する一対のこぼれ落防止側板と、こぼれ落防止側板より相対的に高さが低い対向する一対の長尺物支持側板と、底板に備えられた３６０度回転可能なキャスターと、からなる内装解体スクラップ回収搬送台車を提供する。
【０００９】
第２の考案は、第１の考案を基本として底板はスライダーガイドを有し、キャスターは、底板のスライダーガイド上に固定される内装解体スクラップ回収搬送台車を提供する。
【００１０】
第３の考案は、第１または第２の考案を基本としてこぼれ防止側板には長尺物支持側板の高さに相当する位置に目印ガイド梁が渡されている内装解体スクラップ回収搬送台車を提供する。
【考案の効果】
【００１１】
本考案により、内装解体において発生する細かいスクラップ及び長尺のスクラップを同時に収納することが可能となる。これにより、内装解体の効率が良くなると共に、内装解体時におけるスクラップの分別化を行うことが可能となる。
【図面の簡単な説明】
【００１２】
【図１（ａ）】実施形態１の内装解体スクラップ回収搬送台車の概念図（斜視図）
【図１（ｂ）】実施形態１の内装解体スクラップ回収搬送台車の概念図（投影図）
【図２Ａ】実施形態１の内装解体スクラップ回収搬送台車にスクラップを積載した一例を示した図
【図２Ｂ】実施形態１の内装解体スクラップ回収搬送台車にスクラップを積載した一例を示した図
【図３Ａ】実施形態１の内装解体スクラップ回収搬送台車にスライダーガイドが設けられた場合の一例を示した図
【図３Ｂ】実施形態１の内装解体スクラップ回収搬送台車にスライダーガイドが設けられた場合における使用例の一例を示した図
【図４】実施形態１の内装解体スクラップ回収搬送台車のこぼれ落防止側板の内側にこぼれ落防止側板より高さが高い板を立て掛けて高さを高くした一例とその使用例を示した図
【図５】実施形態１の内装解体スクラップ回収搬送台車にキャスターを固定するその一例を示した図（スライダーガイドなし）
【図６】実施形態１の内装解体スクラップ回収搬送台車にキャスターを固定するその一例を示した図（スライダーガイドあり）
【考案を実施するための形態】
【００１３】
以下に本考案を実施するための最良の形態を説明する。なお、本考案はこれらの実施形態になんら限定されるものではなく、その要旨を逸脱しない範囲において、種々なる態様で実施し得る。
【００１４】
実施形態１は、主に請求項１、２、３について説明する。
<実施形態１>
<実施形態１  概要>
【００１５】
図１は、本実施形態の内装解体スクラップ回収搬送台車の概念図を示している。図１（ａ）は、本実施形態の内装解体スクラップ回収搬送台車の斜視図面であり、図１（ｂ）はその投影図である。このように、本実施形態の内装解体スクラップ回収搬送台車は、矩形の底板（０１０１）と、回収台車に載せられたスクラップを支持するための長尺物支持側板（０１０２）と、長尺物支持側板と同じ高さに梁（０１０４）が設けられたこぼれ落防止側板（０１０３）と、底板（０１０１）に固定されたキャスター（０１０５）とからなる内装解体スクラップ回収搬送台車である。
【００１６】
図２Ａ、Ｂは、本実施形態の内装解体スクラップ回収搬送台車にスクラップを積載した一例を示した図である。本実施形態の内装解体スクラップ回収搬送台車は、図２Ａに示すように底板（０２０１）とその周囲に立設する長尺物支持側板（０２０２）と、こぼれ落防止側板（０２０３）とで囲まれた空間にスクラップを収納し、また図２Ｂに示すように１対の長尺物支持側板（０２０２）で長尺のスクラップを支持し、こぼれ落防止側板（０２０３）でスクラップがこぼれ落ちないようにすることも可能な内装解体スクラップ回収搬送台車である。
【００１７】
<実施形態１：構成>
【００１８】
≪底板≫
【００１９】
「底板」（０１０１）は、矩形の底板である。具体的には、図１に示すような本実施例の内装解体スクラップ回収搬送台車の底面である。底板の片面には後に詳述する１対のこぼれ落防止側板（０１０３）と、１対の長尺物支持側板（０１０２）のそれぞれが対向するように底板の周囲に立設している。また、残る片面には、キャスター（０１０５）が備えられている。
【００２０】
本実施例の底板は、その周囲にこぼれ落ち防止側板と長尺物支持側板とが立設できるのであれば、底板は矩形であるのならその大きさは問わないが、本実施例の内装解体スクラップ回遊搬送台車は、業務用エレベータに搭載されることも想定されるので底板の広さはエレベータに搭載できるだけの広さであることが好ましい。さらには、長尺物支持側板が備えられる辺より、こぼれ落防止側板が備えられる辺の方が長いほうが好ましい。なぜならば、こぼれ落ち防止側板が長いほうが、長尺のスクラップをより安定してこぼれ落ちないようにすることが可能になるためである。
【００２１】
ここで、本実施例の底板は後に詳述するキャスターが備えられる面に図３Ａのように「スライダーガイド」（０３０６）が設けられる構成であってもよい。
【００２２】
（スライダーガイド）
【００２３】
「スライダーガイド」（０３０６）は、底板（０３０１）において後に詳述する「キャスター」（０３０５）が設けられる側に設けられるガイドである。具体的には、図３Ａ（ａ）に示すように底面（０３０１）に設けられるガイドである。図３Ａ（ｂ）に示すようにこのスライダーガイド（０３０６）と底面（０３０１）とから構成される案内溝に板を長尺の板（０３０７）をはめ込むことで案内溝に沿って滑動させることが可能となる。
【００２４】
例えば図３Ｂに示すように、段差に案内溝とほぼ同じ幅（若しくはそれよりも小さい幅）のレールの役割を果たす長尺の板（０３０７）を置くことによって、案内溝を長尺の板（０３０７）に沿わすように滑動させ本実施例の内装解体スクラップ回収搬送台車を段差から降ろしたり、上げたりするという具合である。
【００２５】
なお、本実施例の内装解体スクラップ回収搬送台車に「スライダーガイド」（０３０６）が設けられる構成の場合には、図３Ａ、Ｂに示すように後に詳述する「キャスター」（０３０５）は「底板」（０３０１）に固定される構成ではなく「スライダーガイド」（０３０６）に固定される構成であることが好ましい。
【００２６】
≪こぼれ落防止側板≫
【００２７】
「こぼれ落防止側板」（０１０３）は、他の側板より相対的に高さが高い対向する一対の側板である。具体的には、底面に対向して立設する側板であって、後に詳述する「長尺物支持側板」（０１０２）より高さが高い側板である。
【００２８】
本実施例のこぼれ落防止側板（０１０３）は、図２Ａに示すように後詳述する長尺物支持側板（０２０２）とともに底板を囲むように立設することで長尺物支持側板（０２０２）と底板（０２０１）とこぼれ落防止側板（０２０３）で構成される空間に内装解体時に発生するスクラップを収納する。また、図２Ｂに示すように内装解体スクラップ回収搬送台車に載せられた（「長尺物支持側板」（０２０２）で支持される）長尺物スクラップが内装解体スクラップ回収搬送台車からこぼれ落ちることを防止するための役割も同時に果たしている。
【００２９】
なお、本実施例のこぼれ落防止側板は、さらに図４に示すようにこぼれ落防止側板の内側にこぼれ落防止側板より高さが高い板（０４０８）を立て掛けることが可能となっている。これにより、一時的にこぼれ落防止側板の高さを高くすることが可能となり、より多くの長尺物スクラップを本実施形態の内装解体スクラップ回収搬送台車に載せることが可能となる。
【００３０】
（目印ガイド梁）
【００３１】
ここで、本実施形態のこぼれ落防止側板（０１０３）は、後に詳述する長尺物支持側板（０１０２）の高さに相当する位置に「目印ガイド梁」（０１０４）が渡されている構成であってもよい。このような構成にすることにより、こぼれ落防止側板を補強するとともに、こぼれ落防止側板を正面にして本実施例の内装解体スクラップ回収搬送台車を見た場合、こぼれ落防止側板によって隠れてしまう長尺物支持側板の高さを直接視認せずとも長尺物支持側板の高さを確認することが可能になる。
【００３２】
≪長尺物支持側板≫
【００３３】
「長尺物支持側板」（０１０２）は、こぼれ落防止側板より相対的に高さが低い対向する一対の側板である。具体的には、図１に示すように、底面（０１０１）に対して対向して立設された側板であって、こぼれ落防止側板（０１０３）と隣り合うように立設されている。また長尺物支持側板（０１０２）は、こぼれ落防止側板（０１０３）の高さより低い高さとなっている。
【００３４】
本実施例における、「長尺物支持側板」（０１０２）は、こぼれ落防止側板とともに底板を囲むように立設することで長尺物支持側板と底板とこぼれ落防止側板で構成される空間に内装解体時に発生するスクラップを収納する。また、図２Ｂに示すように本実施例の内装解体スクラップ回収搬送台車に長尺のスクラップを乗せる時に、長尺のスクラップを支持するための役割も同時に果たしている。
【００３５】
≪キャスター≫
【００３６】
「キャスター」（０１０５）は、底板に備えられた３６０度回転可能なキャスターである。具体的には、図５に示すように本実施例の内装解体スクラップ回収搬送台車の底板（０５０１）に設けられた３６０度回転可能な車輪（０５０５）である。この車輪（０５０５）によって、内装解体スクラップ回収搬送台車自体を自由に移動させることが可能になる。さらにキャスターは、台車自体の重さ及び台車に乗せられるスクラップの重さを支持する役割も果たしている。
【００３７】
本実施例の「キャスター」（０１０５）は、底板に４つ備える構成を想定している。しかしながら、実際にはそれに限らない、具体的には台車を安定させることが可能となる３つ以上のキャスターを備えるのであればいずれの構成であってもよい。
【００３８】
また、本実施例の内装解体スクラップ回収搬送台車に固定される「キャスター」（０１０５）は、台車自体の重さ及び台車に載せられるスクラップの重さを支持する必要がある。したがって本実施例の内装解体スクラップ回収搬送台車に固定される「キャスター」（０１０５）は、長期間にわたって荷重に耐えられるだけの強度を有することが好ましい。
【００３９】
なお、本実施例の「キャスター」は、通常、内装解体スクラップ搬送台車の底板に固定される構成であるが、内装解体スクラップ回収搬送台車が「スライダーガイド」を備える場合には図６に示すように「キャスター」（０６０５）は、「底面」（０６０１）に備えられる「スライダーガイド」（０６０６）に固定される。
【符号の説明】
【００４０】
０１０１  底板
０１０２  長尺物支持側板
０１０３  こぼれ落防止側板
０１０４  目印ガイド梁
０１０５  キャスター
０３０６  スライダーガイド
【図１（ａ）】
0003152214.tif 000003
【図１（ｂ）】
0003152214.tif 000004
【図２Ａ】
0003152214.tif 000005
【図２Ｂ】
0003152214.tif 000006
【図３Ａ】
0003152214.tif 000007
【図３Ｂ】
0003152214.tif 000008
【図４】
0003152214.tif 000009
【図５】
0003152214.tif 000010
【図６】
0003152214.tif 000011